(57)【要約】【課題】光源が点滅しているときの消費電力の低減を図ること。【解決手段】点灯装置１は、スイッチＱ２と、電源回路１１と、第１制御回路１２１と、第２制御回路１２２と、を備える。スイッチＱ２は、光源５０と電池７０との間の電路１０を開閉する。第１制御回路１２１は、所定の条件を満たしていないときはスイッチＱ２をオフ状態に維持し、所定の条件を満たすとスイッチＱ２のオン／オフを繰り返すようにスイッチＱ２を制御する。第２制御回路１２２は、スイッチＱ２がオン状態であるオン期間では電源回路１１を動作するように電源回路１１を制御する。また、第２制御回路１２２は、スイッチＱ２がオフ状態であるオフ期間の少なくとも一部の期間では、電源回路１１の動作を停止するように電源回路１１を制御する。【選択図】図１
2019133777.tif 000002
【特許請求の範囲】
【請求項１】
固体発光素子を含む光源と電池との間の電路を開閉するスイッチと、
前記電路に設けられて、前記電池から供給される電力を変換し、変換した電力を前記光源に供給する電源回路と、
所定の条件を満たしていないときは前記スイッチをオフ状態に維持し、前記所定の条件を満たすと前記スイッチのオン／オフを繰り返すように前記スイッチを制御する第１制御回路と、
前記スイッチがオン状態であるオン期間では前記電源回路を動作させ、前記スイッチがオフ状態であるオフ期間の少なくとも一部の期間では、前記電源回路の動作を停止させるように前記電源回路を制御する第２制御回路と、を備える、
点灯装置。
【請求項２】
前記電源回路は、前記電池から前記光源に流れる負荷電流が一定の電流値となるように前記負荷電流を制御する定電流回路である、
請求項１記載の点灯装置。
【請求項３】
前記定電流回路は、スイッチング素子を有しており、前記スイッチング素子のオン／オフにより前記負荷電流を前記一定の電流値に制御するように構成され、
前記第２制御回路は、前記オフ期間の少なくとも一部の期間においては、前記スイッチング素子を前記オフ状態に維持することにより、前記定電流回路の動作を停止させる、
請求項２記載の点灯装置。
【請求項４】
前記電源回路の動作が停止している停止状態から前記電源回路が動作する動作状態に切り替わるタイミングは、前記スイッチが前記オフ状態から前記オン状態に切り替わるタイミングよりも早い、
請求項１〜３のいずれか１項に記載の点灯装置。
【請求項５】
前記所定の条件は、誘導灯信号装置から前記光源の点滅を指示する点滅指示信号を受信することである、
請求項１〜４のいずれか１項に記載の点灯装置。
【請求項６】
請求項１〜５のいずれか１項に記載の点灯装置と、
前記点灯装置からの電力の供給を受けて点灯する前記光源と、を備える、
点滅装置。
【請求項７】
請求項６記載の点滅装置と、
前記点滅装置を収容する筐体と、を備える、
非常用装置。
【発明の詳細な説明】
【技術分野】
【０００１】
本開示は、一般に点灯装置、点滅装置及び非常用装置に関し、より詳細には、電池を用いて光源へ電力を供給する点灯装置、点灯装置と光源とを有する点滅装置、及び点滅装置を備える非常用装置に関する。
【背景技術】
【０００２】
特許文献１には、非常時に光源を点滅させて避難者に避難方向を報知する非常用照明装置が開示されている。この非常用照明装置は、バッテリと、ＬＥＤ（Light Emitting Diode）と、充電回路と、切替回路と、昇圧回路と、点滅制御回路と、を備えている。充電回路は、常時にバッテリを充電する。切替回路は、非常時にバッテリからの電圧を昇圧し、昇圧後の電圧をＬＥＤへ出力してＬＥＤを点灯させる。点滅制御回路は、ＬＥＤの点灯を点滅制御する。
【先行技術文献】
【特許文献】
【０００３】
【特許文献１】特開２０１１−２０４６９８号公報
【発明の概要】
【発明が解決しようとする課題】
【０００４】
特許文献１に記載の非常用照明装置では、光源が点滅しているときにおいて、昇圧回路（電源回路）が動作し続けているため、消費電力の低減を図ることが難しい、という問題があった。
【０００５】
本開示は、上記の点に鑑みてなされており、光源が点滅しているときの消費電力の低減を図ることのできる点灯装置、点滅装置及び非常用装置を提供することを目的とする。
【課題を解決するための手段】
【０００６】
本開示の一態様に係る点灯装置は、スイッチと、電源回路と、第１制御回路と、第２制御回路と、を備える。前記スイッチは、固体発光素子を含む光源と電池との間の電路を開閉する。前記電源回路は、前記電路に設けられて、前記電池から供給される電力を変換し、変換した電力を前記光源に供給する。前記第１制御回路は、所定の条件を満たしていないときは前記スイッチをオフ状態に維持し、前記所定の条件を満たすと前記スイッチのオン／オフを繰り返すように前記スイッチを制御する。前記第２制御回路は、前記スイッチがオン状態であるオン期間では前記電源回路を動作させるように前記電源回路を制御する。また、前記第２制御回路は、前記スイッチがオフ状態であるオフ期間の少なくとも一部の期間では、前記電源回路の動作を停止させるように前記電源回路を制御する。
【０００７】
本開示の一態様に係る点滅装置は、上記の点灯装置と、前記光源と、を備える。前記光源は、前記点灯装置からの電力の供給を受けて点灯する。
【０００８】
本開示の一態様に係る非常用装置は、上記の点滅装置と、筐体と、を備える。前記筐体は、前記点滅装置を収容する。
【発明の効果】
【０００９】
本開示は、光源が点滅しているときの消費電力の低減を図ることができる、という利点がある。
【図面の簡単な説明】
【００１０】
【図１】図１は、本開示の一実施形態に係る点灯装置及び点滅装置の回路図である。
【図２】図２は、同上の点灯装置及び点滅装置の動作を示すタイムチャートである。
【図３】図３は、同上の点滅装置を備えた非常用装置の斜視図である。
【図４】図４は、同上の非常用装置の分解斜視図である。
【発明を実施するための形態】
【００１１】
以下、本実施形態の点灯装置１、点滅装置２及び非常用装置３について、図１〜図４を参照して詳細に説明する。ただし、下記の実施形態において説明する各図は模式的な図であり、各構成要素の大きさや厚さそれぞれの比が必ずしも実際の寸法比を反映しているとは限らない。
【００１２】
（１）点灯装置及び点滅装置の構成
まず、本実施形態の点灯装置１及び点滅装置２について図１を用いて詳細に説明する。点灯装置１は、電源回路１１と、制御回路１２と、整流回路１３と、充電回路１４と、を備えている。また、点灯装置１は、ダイオードＤ３，Ｄ４，Ｄ５と、スイッチＱ２と、抵抗器Ｒ１と、を更に備えている。点滅装置２は、点灯装置１と、点灯装置１からの電力の供給を受けて点灯する光源５０と、を備えている。
【００１３】
光源５０は、例えばＬＥＤ等の固体発光素子を含んでいる。スイッチＱ２は、例えばエンハンスメント形のＮチャネルＭＯＳＦＥＴ（Metal-Oxide-Semiconductor Field-Effect Transistor）からなる。スイッチＱ２は、光源５０と第２蓄電池ブロック７（後述する）の電池７０との間の電路１０を開閉する。抵抗器Ｒ１は、光源５０及びスイッチＱ２と直列に電気的に接続されている。抵抗器Ｒ１の正極は、後述するドライバ１１１に電気的に接続されている。
【００１４】
本実施形態では、点灯装置１は、誘導灯信号装置から点滅指示信号を受信したときに、光源５０を点滅させるように構成されている。誘導灯信号装置は、例えば、常用電源ＡＣ１（例えば、商用の電力系統）が停電しているときにおいて、避難経路に位置する非常用装置３に含まれる点灯装置１に対して点滅指示信号を送信する。また、誘導灯信号装置は、例えば煙感知器にて煙の発生を検知したときにおいて、避難経路に位置する非常用装置３に含まれる点灯装置１に対して、点滅指示信号を送信する。以下の説明では、商用電源ＡＣ１が停電することで、誘導灯信号装置から点滅指示信号が送信されると仮定する。また、以下の説明では、特に断りのない限り、常用電源ＡＣ１が停電しているときを「停電時」、常用電源ＡＣ１が停電していないときを「通常時」という。
【００１５】
電源回路１１は、昇圧チョッパ回路からなり、電池７０から入力される直流電圧（入力電圧）を昇圧するように構成されている。電源回路１１は、スイッチング素子Ｑ１と、チョークコイルＬ１と、ダイオードＤ１と、コンデンサＣ１と、ドライバ１１１と、を有している。チョークコイルＬ１の第１端は、電池７０の正極に電気的に接続されている。チョークコイルＬ１の第２端は、ダイオードＤ１のアノードに電気的に接続されている。スイッチング素子Ｑ１は、例えばエンハンスメント形のＮチャネルＭＯＳＦＥＴからなる。スイッチング素子Ｑ１のドレインは、チョークコイルＬ１の第２端及びダイオードＤ１のアノードに電気的に接続されている。スイッチング素子Ｑ１のソースは、充電回路１４の低電位側の出力端及び電池７０の負極に電気的に接続されている。
【００１６】
ダイオードＤ１のカソードは、電源回路１１の高電位側の出力端、及びコンデンサＣ１の第１端に電気的に接続されている。コンデンサＣ１の第２端は、充電回路１４の低電位側の出力端及び電池７０の負極に電気的に接続されている。コンデンサＣ１は、電源回路１１の入力電圧を昇圧した電圧に含まれるスイッチング周波数成分を平滑化するために用いられる。
【００１７】
ドライバ１１１は、スイッチング素子Ｑ１のゲート−ソース間電圧を制御することで、スイッチング素子Ｑ１をオン／オフさせる。例えば、ドライバ１１１は、スイッチング素子Ｑ１のゲート−ソース間電圧を閾値電圧値以上にすることでスイッチング素子Ｑ１をオンさせ、ゲート−ソース間電圧を閾値電圧未満にすることでスイッチング素子Ｑ１をオフさせる。
【００１８】
電源回路１１の高電位側の出力端は、光源５０の第１端（ここでは、ＬＥＤのアノード）に電気的に接続されている。電源回路１１の低電位側の出力端は、抵抗器Ｒ１及びスイッチＱ２を介して光源５０の第２端（ここでは、ＬＥＤのカソード）に電気的に接続されている。つまり、電源回路１１は、電路１０に設けられて、電池７０から供給される電力（電圧）を変換し、変換した電力を光源５０に供給する。
【００１９】
制御回路１２は、第１制御回路１２１と、第２制御回路１２２と、制御電源回路１２３と、を有している。第１制御回路１２１及び第２制御回路１２２は、それぞれ例えばプロセッサ及びメモリを主構成とするマイクロコンピュータを含んでいる。そして、プロセッサが適宜のプログラムを実行することにより、マイクロコンピュータが第１制御回路１２１及び第２制御回路１２２として機能する。プログラムは、メモリに予め記録されていてもよいし、インターネット等の電気通信回線を通じて、又はメモリカード等の非一時的な記録媒体に記録されて提供されてもよい。
【００２０】
第１制御回路１２１は、スイッチＱ２のゲート−ソース間電圧を制御することで、スイッチＱ２をオン／オフさせる。本実施形態では、通常時、つまり信号線を介して誘導灯信号装置から点滅指示信号を受信するまでは、第１制御回路１２１は、スイッチＱ２をオフ状態に維持する。そして、停電時、つまり点滅指示信号を受信すると、第１制御回路１２１は、スイッチＱ２がオン状態とオフ状態とを交互に繰り返すように、スイッチＱ２を制御する。つまり、第１制御回路１２１は、所定の条件を満たしていないときはスイッチＱ２をオフ状態に維持し、所定の条件を満たすとスイッチＱ２のオン／オフを繰り返すようにスイッチＱ２を制御する。そして、本実施形態では、所定の条件は、誘導灯信号装置から光源５０の点滅を指示する点滅指示信号を受信することである。
【００２１】
このようにスイッチＱ２を制御することで、第１制御回路１２１は、停電時において光源５０に間欠的に負荷電流Ｉ１を流すことで、光源５０を点滅させる。本実施形態では、停電時において光源５０を点滅させることで、人を誘導する効果を高めている。ここで、光源５０の点滅中においては、光源５０が点灯している期間よりも、光源５０が消灯している期間が長い方が好ましい。例えば、第１制御回路１２１は、約５００〔ｍｓ〕ごとに約５０〔ｍｓ〕の期間だけ光源５０を発光させるように、スイッチＱ２を制御することが好ましい。
【００２２】
第２制御回路１２２は、電源回路１１のドライバ１１１に制御信号を出力する。制御信号を受けたドライバ１１１は、制御信号に応じてスイッチング素子Ｑ１のゲート−ソース間電圧を制御することで、スイッチング素子Ｑ１をオン／オフさせる。つまり、第２制御回路１２２は、ドライバ１１１を介してスイッチング素子Ｑ１を間接的に制御している。本実施形態では、通常時、つまり信号線を介して誘導灯信号装置から点滅指示信号を受信するまでは、第２制御回路１２２は、スイッチング素子Ｑ１をオフ状態に維持することで、電源回路１１の動作を停止させる。そして、停電時、つまり点滅指示信号を受信すると、第２制御回路１２２は、スイッチング素子Ｑ１のＰＷＭ制御を開始することで、電源回路１１を動作させる。
【００２３】
ドライバ１１１は、抵抗器Ｒ１の両端電圧を検出し、この両端電圧を所定の目標値に一致させるように、スイッチング素子Ｑ１をＰＷＭ（Pulse Width Modulation）制御する。ここで、抵抗器Ｒ１は、スイッチＱ２を介して光源５０に直列に電気的に接続されている。したがって、抵抗器Ｒ１の両端電圧は、光源５０を流れる負荷電流Ｉ１に応じて増減する。つまり、電源回路１１は、上述のようにドライバ１１１が抵抗器Ｒ１の両端電圧を所定の目標値に一致させるようにスイッチング素子Ｑ１をＰＷＭ制御することで、定電流回路として機能する。言い換えれば、本実施形態では、電源回路１１は、光源５０を流れる負荷電流Ｉ１が一定の電流値となるように負荷電流Ｉ１を制御する定電流回路である。更に言えば、本実施形態では、電源回路１１（定電流回路）は、スイッチング素子Ｑ１を有しており、スイッチング素子Ｑ１のオン／オフにより負荷電流Ｉ１を一定の電流値に制御するように構成されている。
【００２４】
制御電源回路１２３は、例えば３端子レギュレータを有しており、充電回路１４又は電池７０から供給される電力を受けて、制御回路１２を動作させるための電源として機能する。制御電源回路１２３は、ダイオードＤ４を介して充電回路１４の高電位側の出力端に電気的に接続されている。したがって、充電回路１４は、通常時において、制御電源回路１２３に電力を供給する。また、制御電源回路１２３は、ダイオードＤ５を介して電池７０の正極に電気的に接続されている。したがって、電池７０は、停電時において、制御電源回路１２３に電力を供給する。つまり、制御回路１２は、通常時及び停電時のいずれにおいても動作することが可能である。
【００２５】
整流回路１３は、例えばダイオードブリッジからなる全波整流器であって、常用電源ＡＣ１から供給される交流電圧を整流する。そして、整流回路１３は、交流電圧を整流することで得られる脈流電圧を、充電回路１４に入力する。
【００２６】
充電回路１４は、整流回路１３から入力される脈流電圧を昇圧、及び平滑化することで、脈流電圧を昇圧した直流電圧を出力するように構成されている。充電回路１４は、フライバック方式の絶縁型ＡＣ／ＤＣコンバータであって、ドライバ１４１と、スイッチング素子Ｑ３と、トランスＴＲ１と、ダイオードＤ２と、コンデンサＣ２と、を有している。スイッチング素子Ｑ３は、例えばエンハンスメント形のＮチャネルＭＯＳＦＥＴからなる。トランスＴＲ１の一次巻線の第１端は、整流回路１３の高電位側の出力端に電気的に接続されている。トランスＴＲ１の一次巻線の第２端は、スイッチング素子Ｑ３のドレインに電気的に接続されている。トランスＴＲ１の二次巻線の第１端は、ダイオードＤ２のアノードに電気的に接続されている。トランスＴＲ１の二次巻線の第２端は、充電回路１４の低電位側の出力端及び電池７０の負極に電気的に接続されている。
【００２７】
スイッチング素子Ｑ３のソースは、整流回路１３の低電位側の出力端に電気的に接続されている。ダイオードＤ２のカソードは、充電回路１４の高電位側の出力端及びコンデンサＣ２の第１端に電気的に接続されている。コンデンサＣ２の第２端は、充電回路１４の低電位側の出力端及び電池７０の負極に電気的に接続されている。
【００２８】
ドライバ１４１は、スイッチング素子Ｑ３のゲート−ソース間電圧を制御することで、スイッチング素子Ｑ３をオン／オフさせる。例えば、ドライバ１４１は、スイッチング素子Ｑ３のゲート−ソース間電圧を閾値電圧値以上にすることでスイッチング素子Ｑ３をオンさせ、ゲート−ソース間電圧を閾値電圧未満にすることでスイッチング素子Ｑ３をオフさせる。本実施形態では、ドライバ１４１は、コンデンサＣ２の両端電圧（つまり、充電回路１４の出力電圧）が一定の電圧値となるように、スイッチング素子Ｑ３をＰＷＭ制御する。
【００２９】
充電回路１４の高電位側の出力端は、ダイオードＤ３を介して第２蓄電池ブロック７（後述する）の電池７０の正極に電気的に接続されている。また、充電回路１４の低電位側の出力端は、電池７０の負極に電気的に接続されている。したがって、充電回路１４は、通常時において、電池７０に電力を供給することにより、電池７０を充電する。
【００３０】
（２）動作
以下、本実施形態の点灯装置１の動作について図１及び図２を用いて説明する。図２は、上段から順に、スイッチング素子Ｑ１の状態（オン／オフ）、コンデンサＣ１の両端電圧「Ｖ１」、スイッチＱ２の状態（オン／オフ）、光源５０の状態（点灯／消灯）を示している。図２では、スイッチング素子Ｑ１の状態を表す「Ｑ１」、及びスイッチＱ２の状態を表す「Ｑ２」については、「ＯＮ」がオン状態を表し、「ＯＦＦ」がオフ状態を表している。なお、図２では、スイッチＱ２がオン状態であるオン期間Ｔ１の長さと、スイッチＱ２がオフ状態であるオフ期間Ｔ２の長さとが同じであるが、実際には互いに異なっていてもよい。
【００３１】
まず、通常時においては、第１制御回路１２１は、スイッチＱ２をオフ状態に維持するようにスイッチＱ２を制御する。また、通常時においては、第２制御回路１２２は、スイッチング素子Ｑ１をオフ状態に維持するようにスイッチング素子Ｑ１を制御する。このため、通常時においては、電路１０は開かれており、かつ、電源回路１１が動作していないので、電池７０から光源５０へ電力が供給されず、光源５０は消灯している。
【００３２】
次に、時刻ｔ０において常用電源ＡＣ１が停電し、通常時から停電時に移行したと仮定する。すると、第２制御回路１２２は、誘導灯信号装置からの点滅指示信号を受けて、スイッチング素子Ｑ１のＰＷＭ制御を開始することで、電源回路１１の動作を開始させる。電源回路１１の動作が開始すると、コンデンサＣ１が充電されることでコンデンサＣ１の両端電圧Ｖ１が上昇する。その後、コンデンサＣ１の両端電圧Ｖ１は、所定の電圧値で一定となる。
【００３３】
一方、第１制御回路１２１は、誘導灯信号装置からの点滅指示信号を受けてから一定時間が経過した時点である時刻ｔ１において、スイッチＱ２をオフ状態からオン状態に切り替える。これにより、電路１０が閉じられ、電源回路１１から光源５０へ負荷電流Ｉ１が流れることで、光源５０が点灯する。その後、第１制御回路１２１は、光源５０が点灯状態を維持するオン期間Ｔ１と、光源５０が消灯状態を維持するオフ期間Ｔ２とを交互に繰り返すように、スイッチＱ２のオン／オフを制御する。
【００３４】
第２制御回路１２２は、スイッチＱ２がオン状態からオフ状態に切り替わると、スイッチング素子Ｑ１をオフ状態に維持させることで、電源回路１１の動作を停止させる。そして、電源回路１１の動作を停止させた時点から所定時間Ｔ３が経過した時点で、再びスイッチング素子Ｑ１のＰＷＭ制御を開始することで、電源回路１１の動作を開始させる。所定時間Ｔ３は、スイッチＱ２のオフ期間Ｔ２よりも短くなっている。以下、第２制御回路１２２は、スイッチＱ２のオン／オフに応じて、上記の動作を繰り返すことで、電源回路１１を間欠的に動作させる。
【００３５】
上述のように、第２制御回路１２２は、スイッチＱ２がオン状態であるオン期間Ｔ１では電源回路１１が動作させるように電源回路１１を制御している。また、第２制御回路１２２は、スイッチＱ２がオフ状態であるオフ期間Ｔ２の少なくとも一部の期間では、電源回路１１の動作を停止させるように電源回路１１を制御している。ここで、本実施形態では、第２制御回路１２２は、オフ期間Ｔ２の少なくとも一部の期間においては、スイッチング素子Ｑ１をオフ状態に維持することにより、電源回路１１（定電流回路）の動作を停止させている。また、本実施形態では、上述のように、電源回路１１の動作を停止させてから再び動作させるまでの所定時間Ｔ３が、スイッチＱ２のオフ期間Ｔ２よりも短くなっている。つまり、本実施形態では、電源回路１１の動作が停止している停止状態から電源回路１１が動作する動作状態に切り替わるタイミングは、スイッチＱ２がオフ状態からオン状態に切り替わるタイミングよりも早くなっている。言い換えれば、第２制御回路１２２は、第１制御回路１２１がスイッチＱ２をオフ状態からオン状態に切り替えるタイミングより早くに、電源回路１１を停止状態から動作状態に切り替える。
【００３６】
以下、本実施形態の点灯装置１の利点について、比較例の点灯装置との比較を交えて説明する。比較例の点灯装置は、スイッチＱ２のオン状態及びオフ状態に依らず、常に電源回路１１が動作状態にある点で、本実施形態の点灯装置１と相違する。比較例の点灯装置では、光源５０が点滅している間、電源回路１１が常に動作している。このため、比較例の点灯装置では、光源５０に電流を供給する必要のないオフ期間Ｔ２においても電源回路１１に電流が流れ、無駄に電力を消費してしまう。
【００３７】
一方、本実施形態の点灯装置１では、スイッチＱ２のオフ期間Ｔ２の少なくとも一部の期間において、電源回路１１の動作が停止している。このため、本実施形態の点灯装置１では、光源５０に電流を供給する必要のないオフ期間Ｔ２において、電源回路１１に電流が流れ続けるのを避けることができ、無駄な電力の消費を抑えることが可能である。つまり、本実施形態の点灯装置１では、光源５０が点滅しているときの消費電力の低減を図ることができる、という利点がある。その結果、本実施形態の点灯装置１では、比較例の点灯装置と比較して、電池７０の寿命が尽きるまでの光源５０の点滅時間を長くすることが可能である、という利点もある。また、本実施形態の点灯装置１では、光源５０の必要な点滅時間を一定とした場合、比較例の点灯装置と比較して、電池７０の容量が小さくて済むので、電池７０の小型化を図ることが可能である、という利点もある。
【００３８】
（３）非常用装置の構成
以下、本実施形態の点灯装置１及び点滅装置２を備えた非常用装置３について図３及び図４を用いて詳細に説明する。以下の説明では、特に断りの無い限り、図３に示す矢印の向きにより、非常用装置３の上下、左右、及び前後の各方向を規定する。なお、図３に示す矢印は、説明のために表記しているに過ぎず、実体を伴わない。また、上記の方向の規定は、非常用装置３の使用態様を限定する趣旨ではない。
【００３９】
非常用装置３は、建物の避難口を表示するための誘導灯器具として実現されており、点滅光源（光源５０）を点滅させる機能と、誘導用の音声を出力する機能と、を有している。非常用装置３は、誘導灯信号装置から点滅指示信号を受けた場合、誘導効果を高めるために点滅光源を点滅させる。また、非常用装置３は、誘導灯信号装置から指示信号を受けた場合、誘導効果を高めるために、音響装置８から誘導音（例えば、「避難口はこちらです。」というような音声メッセージ）を出力させる。
【００４０】
非常用装置３は、図３及び図４に示すように、筐体３０と、表示ユニット４と、点滅光源（光源５０）を含む点滅光源ユニット５と、電源回路１１及び制御回路１２を含む駆動装置６と、第２蓄電池ブロック７と、を備えている。ここで、点滅装置２は、点滅光源ユニット５の一部と、駆動装置６の一部とで構成されている。言い換えれば、非常用装置３は、点滅装置２と、点滅装置２を収容する筐体３０と、を備えている。
【００４１】
筐体３０は、それぞれ長方形状の前壁３１、後壁３２及び４つの側壁３３を有する直方体状に形成されている。本実施形態では、筐体３０は、本体３００と、プレート３０１と、で構成されている。本体３００は、前面が開放された箱形に形成されており、筐体３０の後壁３２と４つの側壁３３を構成している。上側の側壁３３には一対の穴３０３が貫通している（図４参照）。
【００４２】
プレート３０１は、四角形状に形成された主部３０１０と、主部３０１０の４つの辺から後方へ立ち上がる４つの側部３０１１とを有している。プレート３０１の主部３０１０は、筐体３０の前壁３１を構成している。プレート３０１の４つの側部３０１１は、それぞれ筐体３０の４つの側壁３３の前端部分を構成している。プレート３０１は、一対の取付ばね３０２によって着脱可能に本体３００に取り付けられる。筐体３０は、本体３００の前面にプレート３０１が取り付けられることによって構成される。なお、筐体３０（本体３００及びプレート３０１）は、鋼板などの不燃物で形成されている。
【００４３】
筐体３０の内底面（後壁３２の前面）には、取付台３５がねじ止めされている。取付台３５は、合成樹脂材料によって前面と下面が開放された箱形に形成されている。表示ユニット４及び駆動装置６は、取付台３５に取り付けられた状態で筐体３０内に収容されている。
【００４４】
表示ユニット４は、表示板４０と、光源ブロック４１と、点灯ブロック４２と、第１蓄電池ブロック４３と、を有している。
【００４５】
表示板４０は、アクリル樹脂又はポリカーボネート樹脂などの透光性を有する合成樹脂材料によって四角形状に形成されている。本実施形態では、表示板４０は、前後方向の厚さを上端から下端に向かって徐々に小さくするように形成されている。表示板４０の前面には、避難口を示すピクトグラムが描かれている。
【００４６】
光源ブロック４１は、１つ以上の発光ダイオード（ＬＥＤ）と、ＬＥＤから放射される光を導光する導光部材と、ＬＥＤ及び導光部材を収容するケース４１０と、を有している。ケース４１０の下面には、導光部材から出射する光をケース４１０の外に放射するための開口が設けられている。光源ブロック４１は、図５に示すように、取付台３５の上部に取り付けられている。また、表示板４０は、上側面を光源ブロック４１のケース４１０の開口に対向させるようにして、取付台３５に取り付けられている。
【００４７】
点灯ブロック４２は、常用点灯回路と、充電回路と、非常用点灯回路と、制御回路とを有している。常用点灯回路は、外部電源（常用電源ＡＣ１（図１参照））から供給される電力で、光源ブロック４１のＬＥＤを点灯させる。充電回路は、外部電源から供給される電力で、第１蓄電池ブロック４３の電池セル（後述する）を充電する。非常用点灯回路は、の電力供給が停止した場合、第１蓄電池ブロック４３から放電される電力でＬＥＤを点灯させる。制御回路は、外部電源の給電状況を監視し、外部電源から電力供給されているときは常用点灯回路と充電回路を動作させ、かつ非常用点灯回路を停止させる。また、制御回路は、外部電源の電力供給が停止（停電）したときは常用点灯回路と充電回路を停止させ、かつ非常用点灯回路を動作させる。
【００４８】
第１蓄電池ブロック４３は、電気絶縁性を有する合成樹脂製の電池ケースに複数の電池セルを収容して構成されている。各電池セルは、ニッケル水素電池のような二次電池である。第１蓄電池ブロック４３は、取付台３５の右端に収容されている（図４参照）。
【００４９】
表示ユニット４は、筐体３０の前壁３１（プレート３０１の主部３０１０）に設けられた四角形状の窓３１０から表示板４０の前面を露出させるようにして、筐体３０内に収容される。表示ユニット４は、光源ブロック４１から表示板４０の上面に光を入射させ、表示板４０全体を発光させることにより、表示板４０の前面の輝度を高めてピクトグラムの視認性を高めている。
【００５０】
点滅光源ユニット５は、ＬＥＤからなる点滅光源（光源５０）と、点滅光源から放射される光の配光を制御するレンズ５１と、点滅光源及びレンズ５１が取り付けられる取付部材５２と、を有している。点滅光源ユニット５は、筐体３０の内底面（後壁３２の前面）における下端部分に取付部材５２が固定されることによって、筐体３０内に収容されている（図４参照）。レンズ５１は、筐体３０の下側の側壁３３における長手方向（左右方向）の中央に設けられた挿通穴３４を通して、筐体３０の外に突出している。
【００５１】
駆動装置６は、点滅光源ユニット５の点滅光源（光源５０）を駆動する電源回路１１（図１参照）と、スピーカ８１（後述する）を駆動する駆動回路と、を有している。駆動装置６は、更に、電源回路１１及び駆動回路に電力を供給するための第２蓄電池ブロック７を充電する充電回路１４（図１参照）と、電源回路１１及び充電回路１４を制御する制御回路１２（図１参照）と、を有している。
【００５２】
第２蓄電池ブロック７は、電池７０（図１参照）を有している。電池７０は、複数本の乾電池型の電池セルが熱収縮チューブに包まれて構成されている。各電池セルは、ニッケル水素電池のような二次電池である。第２蓄電池ブロック７は、筐体３０内において取付台３５の左隣に収容されている（図４参照）。
【００５３】
筐体３０内における第２蓄電池ブロック７の上方には、音響装置８の一部であるスピーカ８１が収容されている。筐体３０の前壁３１（プレート３０１の主部３０１０）における窓３１０の左側には、スピーカ８１用の窓３１１が開口している。この窓３１１は、カバー３１２で塞がされている。カバー３１２は、カバー３１２の厚さ方向に貫通する多数の穴を有している。つまり、スピーカ８１から出力される音は、これら多数の穴を通して筐体３０の外に放出される。
【００５４】
非常用装置３は、壁や天井Ａ１などの造営材に取り付けられる（図４参照）。例えば、非常用装置３を天井Ａ１に取り付ける場合、天井Ａ１に上端部分が埋め込まれている一対の吊りボルトＡ１０の各々を、非常用装置３の筐体３０の上方の側壁３３に設けられている一対の穴３０３のそれぞれに挿入する。そして、一対の吊りボルトＡ１０の各々にナットを締め付けることで、一対の吊りボルトＡ１０に筐体３０が固定される。このようにして、非常用装置３は、天井Ａ１に設置される。
【００５５】
（４）変形例
上述の実施形態は、本開示の様々な実施形態の一つに過ぎない。上述の実施形態は、本開示の目的を達成できれば、設計等に応じて種々の変更が可能である。以下、上述の実施形態の変形例を列挙する。以下に説明する変形例は、適宜組み合わせて適用可能である。
【００５６】
上述の実施形態では、電源回路１１の停止状態から動作状態に切り替わるタイミングは、スイッチＱ２がオフ状態からオン状態に切り替わるタイミングよりも早くなっているが、これに限定する趣旨ではない。例えば、第２制御回路１２２は、スイッチＱ２がオフ状態からオン状態に切り替わるタイミングで、電源回路１１を停止状態から動作状態に切り替えるように電源回路１１を制御してもよい。言い換えれば、スイッチＱ２のオフ期間Ｔ２の全期間において、電源回路１１は停止状態であってもよい。
【００５７】
上述の実施形態では、電源回路１１は定電流回路であるが、これに限定する趣旨ではない。例えば、光源５０の点滅中において、光源５０の光強度が所定の範囲内で変化することが許容されている場合、電源回路１１は、一定の範囲内で変化する電流を光源５０に供給する回路であってもよい。その他、例えば、電源回路１１は、光源５０に抵抗器とスイッチとを直列に電気的に接続してなり、抵抗器により負荷電流Ｉ１を制限する回路であってもよい。この構成では、第２制御回路１２２にてスイッチをオフさせることで、電源回路１１の動作を停止させることが可能である。
【００５８】
上述の実施形態では、第２制御回路１２２は、電源回路１１のスイッチング素子Ｑ１をオフ状態に維持することにより、電源回路１１の動作を停止させているが、これに限定する趣旨ではない。例えば、点灯装置１は、電池７０と電源回路１１との間に電路１０を開閉するスイッチを更に有していてもよい。そして、第２制御回路１２２は、このスイッチをオフ状態に維持することにより、電池７０から電源回路１１への給電路を開くことで、電源回路１１の動作を停止させてもよい。
【００５９】
上述の実施形態では、第１制御回路１２１及び第２制御回路１２２は、誘導灯信号装置からの点滅指示信号をトリガとして、それぞれスイッチＱ２及び電源回路１１の制御を開始している。つまり、所定の条件は、誘導灯信号装置から点滅指示信号を受信することであるが、これに限定する趣旨ではない。例えば、第１制御回路１２１及び第２制御回路１２２は、例えば、常用電源ＡＣ１の停電を自動的に検知することで得られる情報など、点滅指示信号以外の情報を取得することを所定の条件として、それぞれスイッチＱ２及び電源回路１１の制御を開始してもよい。
【００６０】
上述の実施形態において、制御回路１２に含まれる第１制御回路１２１、第２制御回路１２２、及び制御電源回路１２３は、１つのチップに集約されていてもよいし、複数のチップに分散して設けられていてもよい。
【００６１】
上述の実施形態では、点灯装置１は、電源回路１１と、制御回路１２と、整流回路１３と、充電回路１４と、スイッチＱ２と、抵抗器Ｒ１と、を有しているが、これに限定する趣旨ではない。例えば、点灯装置１は、少なくとも電源回路１１と、制御回路１２と、スイッチＱ２と、を有していればよい。
【００６２】
上述の実施形態では、非常用装置３は、表示ユニット４及び音響装置８の両方を備えているが、これに限定する趣旨ではない。例えば、非常用装置３は、表示ユニット４及び音響装置８のうち少なくとも一方を備えていなくてもよい。更に言えば、非常用装置３は、点滅光源ユニット５（つまり、点滅装置２）のみを備え、表示ユニット４及び音響装置８をいずれも備えていなくてもよい。
【００６３】
（まとめ）
以上述べたように、第１の態様に係る点灯装置（１）は、スイッチ（Ｑ２）と、電源回路（１１）と、第１制御回路（１２１）と、第２制御回路（１２２）と、を備える。スイッチ（Ｑ２）は、固体発光素子を含む光源（５０）と電池（７０）との間の電路（１０）を開閉する。電源回路（１１）は、電路（１０）に設けられて、電池（７０）から供給される電力を変換し、変換した電力を光源（５０）に供給する。第１制御回路（１２１）は、所定の条件を満たしていないときはスイッチ（Ｑ２）をオフ状態に維持し、所定の条件を満たすとスイッチ（Ｑ２）のオン／オフを繰り返すようにスイッチ（Ｑ２）を制御する。第２制御回路（１２２）は、スイッチ（Ｑ２）がオン状態であるオン期間（Ｔ１）では電源回路（１１）を動作させるように電源回路（１１）を制御する。また、第２制御回路（１２２）は、スイッチ（Ｑ２）がオフ状態であるオフ期間（Ｔ２）の少なくとも一部の期間では、電源回路（１１）の動作を停止させるように電源回路（１１）を制御する。
【００６４】
この態様によれば、光源（５０）が点滅しているときの消費電力の低減を図ることができる、という利点がある。
【００６５】
第２の態様に係る点灯装置（１）では、第１の態様において、電源回路（１１）は、電池（７０）から光源（５０）に流れる負荷電流（Ｉ１）が一定の電流値となるように負荷電流（Ｉ１）を制御する定電流回路である。
【００６６】
この態様によれば、光源（５０）の光強度を一定の強度に保ちやすく、光源（５０）の視認性を向上することができる、という利点がある。
【００６７】
第３の態様に係る点灯装置（１）では、第２の態様において、定電流回路（電源回路（１１））は、スイッチング素子（Ｑ１）を有しており、スイッチング素子（Ｑ１）のオン／オフにより負荷電流（Ｉ１）を一定の電流値に制御するように構成される。第２制御回路（１２２）は、オフ期間（Ｔ２）の少なくとも一部の期間においては、スイッチング素子（Ｑ１）をオフ状態に維持することにより、定電流回路の動作を停止させる。
【００６８】
この態様によれば、例えば電池（７０）と定電流回路との間に電路（１０）を開閉するスイッチを別途設ける等、電源回路（１１）の動作を停止させるための構成を追加する必要がない、という利点がある。
【００６９】
第４の態様に係る点灯装置（１）では、第１〜第３のいずれかの態様において、電源回路（１１）の停止状態から電源回路（１１）が動作状態に切り替わるタイミングは、スイッチ（Ｑ２）がオフ状態からオン状態に切り替わるタイミングよりも早い。停止状態は、電源回路（１１）の動作が停止している状態である。動作状態は、電源回路（１１）が動作している状態である。
【００７０】
この態様によれば、オフ期間（Ｔ２）の全期間において停止状態を維持する場合と比較して、スイッチ（Ｑ２）をオンした時点で光源（５０）を点灯させやすい、という利点がある。つまり、オフ期間（Ｔ２）においては、電源回路（１１）のコンデンサ（Ｃ１）が放電する。このため、オフ期間（Ｔ２）の全期間において停止状態を維持した場合、スイッチ（Ｑ２）をオンした時点で光源（５０）を点灯させるのに必要な電圧を電源回路（１１）が出力できない可能性がある。一方、この態様では、オフ期間（Ｔ２）の全期間において停止状態を維持する場合と比較して、コンデンサ（Ｃ１）の放電時間を短くすることができる。このため、この態様では、スイッチ（Ｑ２）をオンした時点でコンデンサ（Ｃ１）が十分に充電され、光源（５０）を点灯させやすい。その他、この態様では、スイッチ（Ｑ２）をオンした時点でコンデンサ（Ｃ１）の両端電圧（Ｖ１）が十分に大きい電圧となっているので、スイッチ（Ｑ２）をオンにして直ぐに光源（５０）を所望の輝度で発光させやすい、という利点もある。
【００７１】
第５の態様に係る点灯装置（２）では、第１〜第４のいずれかの態様において、所定の条件は、誘導灯信号装置から光源（５０）の点滅を指示する点滅指示信号を受信することである。
【００７２】
この態様によれば、例えば停電時、又は火災の発生時などの非常時に、光源（５０）を点滅させることができる、という利点がある。
【００７３】
第６の態様に係る点滅装置（２）は、第１〜第５のいずれかの態様の点灯装置（１）と、光源（５０）と、を備える。光源（５０）は、点灯装置（１）からの電力の供給を受けて点灯する。
【００７４】
この態様によれば、光源（５０）が点滅しているときの消費電力の低減を図ることができる、という利点がある。
【００７５】
第７の態様に係る非常用装置（３）は、第６の態様の点滅装置（２）と、点滅装置（２）を収容する筐体（３０）と、を備える。
【００７６】
この態様によれば、光源（５０）が点滅しているときの消費電力の低減を図ることができる、という利点がある。
【符号の説明】
【００７７】
１  点灯装置
１０  電路
１１  電源回路（定電流回路）
１２１  第１制御回路
１２２  第２制御回路
２  点滅装置
３  非常用装置
３０  筐体
５０  光源
７０  電池
Ｉ１  負荷電流
Ｑ１  スイッチング素子
Ｑ２  スイッチ
Ｔ１  オン期間
Ｔ２  オフ期間
【図１】
2019133777.tif 000003
【図２】
2019133777.tif 000004
【図３】
2019133777.tif 000005
【図４】
2019133777.tif 000006